(57)【要約】      （修正有）【課題】棒状化粧料本体が折れにくい容器の提供。【解決手段】一端が開放し、他端が有底の棒状の筐体１の内側に略棒状かつ中空のガイド部材５が摺動可能に設けられ、また、前記ガイド部材５の内側には、棒状化粧料本体２が設けられた棒状化粧料容器であって、前記ガイド部材５の一方の端部と前記筐体１の底部の間に設けられた弾性部材によって、前記ガイド部材５は、前記筐体１の開放側に付勢され、その付勢により、前記ガイド部材５は、前記筐体１から一部が露出した状態となっており、前記ガイド部材５の内形部は、筐体１の有底側より開放側が拡大しており、前記棒状化粧料本体２を塗布面に塗布する際、前記棒状化粧料本体２の塗布面が、前記ガイド部材５の前記筐体１から一部露出した部分の内側に配置可能とした。【選択図】図１
2015160087.tif 000002
【特許請求の範囲】
【請求項１】
一端が開放し、他端が有底の棒状の筐体の内側に略棒状かつ中空のガイド部材が摺動可能に設けられ、また、前記ガイド部材の内側には、棒状化粧料本体が設けられた棒状化粧料容器であって、前記ガイド部材の一方の端部と前記筐体の底部の間に設けられた弾性部材によって、前記ガイド部材は、前記筐体の開放側に付勢され、その付勢により、前記ガイド部材は、前記筐体から一部が露出した状態となっており、前記ガイド部材の内形部は、筐体の有底側より開放側が拡大しており、前記棒状化粧料本体を塗布面に塗布する際、前記棒状化粧料本体の塗布面が、前記ガイド部材の前記筐体から一部露出した部分の内側に配置可能としたことを特徴とする棒状化粧料容器。
【発明の詳細な説明】
【技術分野】
【０００１】
本発明は、棒状化粧料容器に関する。
【背景技術】
【０００２】
従来より、外筒体、外筒体の底部に回転可能に設けられた袴部材、外筒体内に収容され、棒状に成型された内容物（棒状化粧料本体）を載せる中皿からなり、袴部材（操作体）が回転することにより中皿が上昇し、内容物が容器（筐体）から繰り出される繰出容器（棒状化粧料容器）が知られている。そして、該繰出容器の前記内容物を塗布面に塗布するためには、前述した前記内容物が前記容器から繰り出された状態にする。その内容物が前記容器の上部から繰り出された状態とは、前記容器の上部端面から上方に内容物が突出した状態であり、前記棒状の内容物の側面部が露出された状態である。
【先行技術文献】
【特許文献】
【０００３】
【特許文献１】特開２００５−１８６９９２号公報
【発明の概要】
【発明が解決しようとする課題】
【０００４】
しかしながら、従来の袴部材（操作体）が回転することにより中皿が上昇し、内容物（棒状化粧料本体）が容器（筐体）から繰り出される繰出容器（棒状化粧料容器）においては、内容物の先端を塗布面に押し付けながら、スライドさせて塗布する。そのとき、容器の上部端面から突出した内容物に、スライドさせる方向にかかる力と、使用者が前記内容物（棒状化粧料本体）を押し付ける方向にかかる力が加えられる。その際、前記内容物は側面部が露出した状態で大きな力がかかる恐れがある。そのため、内容物が折れてしまうという問題があった。
【課題を解決するための手段】
【０００５】
本発明は、一端が開放し、他端が有底の棒状の筐体の内側に略棒状かつ中空のガイド部材が摺動可能に設けられ、また、前記ガイド部材の内側には、棒状化粧料本体が設けられた棒状化粧料容器であって、前記ガイド部材の一方の端部と前記筐体の底部の間に設けられた弾性部材によって、前記ガイド部材は、前記筐体の開放側に付勢され、その付勢により、前記ガイド部材は、前記筐体から一部が露出した状態となっており、前記ガイド部材の内形部は、筐体の有底側より開放側が拡大しており、前記棒状化粧料本体を塗布面に塗布する際、前記棒状化粧料本体の塗布面が、前記ガイド部材の前記筐体から一部露出した部分の内側に配置可能としたことを特徴とする棒状化粧料容器。
【発明の効果】
【０００６】
本発明は、一端が開放し、他端が有底の棒状の筐体の内側に略棒状かつ中空のガイド部材が摺動可能に設けられ、また、前記ガイド部材の内側には、棒状化粧料本体が設けられた棒状化粧料容器であって、前記ガイド部材の一方の端部と前記筐体の底部の間に設けられた弾性部材によって、前記ガイド部材は、前記筐体の開放側に付勢され、その付勢により、前記ガイド部材は、前記筐体から一部が露出した状態となっており、前記ガイド部材の内形部は、筐体の有底側より開放側が拡大しており、前記棒状化粧料本体を塗布面に塗布する際、前記棒状化粧料本体の塗布面が、前記ガイド部材の前記筐体から一部露出した部分の内側に配置可能としたことを特徴とする棒状化粧料容器としたので、棒状化粧料本体が使用中に折れてしまうという問題点を解消できる。
【図面の簡単な説明】
【０００７】
【図１】本発明の棒状化粧料容器の正面図の縦断面図。
【図２】第１実施例を示す縦断面図。
【図３】第１実施例のＡ部拡大図。
【図４】第２実施例を示す縦断面図。
【図５】第３実施例を示す縦断面図。
【発明を実施するための形態】
【０００８】
以下本発明を、その好ましい実施形態に基づき図面を参照しながら説明する。
【０００９】
本発明の棒状化粧料容器の筐体１は、前端及び、後端が開放された筒状となっている。該筐体１の前端には、その内周面から内方に突出する円形の鍔部１ａが形成されている。また、前記筐体１の後端には、その内周面から内方に突出する円形の凸部からなる嵌合部１ｂが形成されている。さらに、前記筐体１の内周面には、その内周面から内方に突出し、嵌合部１ｂの前端近傍から筐体１の前端の開放部に向かって延びる縦リブ１ｃが、周方向に等間隔に２本形成されている。
【００１０】
前記筐体１の後端には、繰出体３が設けられている。繰出体３は、雄ねじ部３ｄが形成された棒状の支持部３ａと、外周面から外方に突出する円形の凸部（嵌合部３ｅ）が形成された筒状の筒部３ｂ、筒状の操作部３ｃから形成されている。該操作部３ｃの外径は、筐体１の外径とほぼ同寸法である。前記操作部３ｃの前端には、前記操作部３ｃより外径の小さい前記筒部３ｂが形成されている。前記操作部３ｃと前記筒部３ｂの間には、前記操作部３ｃから内方に突出する円形の段部３ｆが形成されている。そして、前記筒部３ｂの前端には、前記筒部３ｂより外径の小さい支持部３ａが形成されている。
【００１１】
前記筐体１の後端面には、前記繰出体３の段部３ｆの前端面が係止されている。また、前記筐体１の嵌合部１ｂと、前記繰出体３の前記筒部３ｂに形成された前記嵌合部３ｅが嵌合されている。そのため、前記筐体１から前記繰出体３が抜けることが無く、かつ、前記筐体１に対して、前記繰出体３が、該繰出体３の中心軸線を中心に回転可能となっている。
【００１２】
前記繰出体３の前記支持部３ａの外周面と、前記筐体１の内周面の間には、中皿４が設けられている。該中皿４は、前記筐体１の内径より若干小さい外径で形成された円形の大径部４ａと、前記大径部４ａの外径より小さい外径で形成された円形の小径部４ｂで形成されている。また、前記小径部４ｂは、前記大径部４ａの前端に形成されている。さらに、前記中皿４の中心には、貫通孔が形成されている。その貫通孔の内周面には、前記繰出体３の支持部３ａの外周面に形成された前記雄ねじ部３ｄとねじ螺合する雌ねじ部４ｃが形成されている。また、大径部４ａの外周面には、その外周面から内方に凹み、軸線方向に延びる縦溝４ｄが、周方向に等間隔に２本形成されている。そして、前記中皿４は、前記中皿４の２本の縦溝４ｄに対向し、前記筐体１の２本の縦リブ１ｃが嵌るように、前記筐体１の内側に配置されている。さらに、前記大径部４ａの前端面には、その前端面から後方に延びる円周上の凹溝である円周溝４ｅが形成されている。また、前記中皿４の外周面には、前記中皿４の後端面から若干前方の位置で、前記中皿４の外周面から外方に突出し、後述するガイド部材５の内径より若干小さい円形の外方鍔部４ｇが形成されている
【００１３】
前記繰出体３の前記操作部３ｃを回転させ、前記支持部３ａを回転させる。前記支持部３ａの回転は、ねじ螺合している前記中皿４の雌ねじ部４ｃに伝わる。しかし、前記中皿４は、該中皿４の前記縦溝４ｄと、前記筐体１の前記縦リブ１ｃが嵌っているため、回転が規制されている。よって、前記操作部３ｃを回転させると、前記中皿４は回転しないで前記筐体１の内部を前進し、前記操作部３ｃを逆回転させると、前記中皿４は後退する。つまり、前記操作部３ｃの回転操作により、前記中皿４を前記筐体１に対して前後動させることができる。
【００１４】
前記繰出体３の前記支持部３ａの外周面と、前記筐体１の内周面の間で、かつ、前記中皿４の前方には、筒状のガイド部材５が設けられている。そして、該ガイド部材５の後端には、前記ガイド部材５の外周面から外方に突出し、前記筐体１の内径より若干小さい円形の外方鍔部５ａが形成されている。該外方鍔部５ａの外周面には、その外周面から内方に凹み、軸線方向に延びる縦溝５ｂが、周方向に等間隔に２本形成されている。そして、前記ガイド部材５は、前記ガイド部材５の２本の縦溝５ｂに対向し、前記筐体１の２本の縦リブ１ｃが嵌るように、前記筐体１の内側に配置されている。そのため、前記ガイド部材５は、前記筐体１に対して軸線方向に回転しない。また、前記ガイド部材５の後端には、前記ガイド部材５の内周面から内方に突出する円形の内方鍔部５ｃが形成されている。
【００１５】
前記ガイド部材５の後端面と、前記中皿４の前記円周溝４ｅの底面４ｆの間には、コイルばね６（弾性部材）が設けられている。前記コイルばね６の前端部内周と後端部内周には、前記ガイド部材５の後端面から突出する、前記コイルばね６の線径程度の高さの円形の突出部５ｅと、前記皿部４に形成された前記底面４ｆから前方に突出する、前記コイルばね６の線径程度の高さの円形の突出部４ｈがそれぞれ嵌り込んでいる。そのため、前記コイルばね６が円周方向に動く横振れを防止されている。そして、該コイルばね６によって、ガイド部材５は常に前方に付勢されている。また、前記コイルばね６（弾性部材）の弾力は、前記ガイド部材５を前方へ付勢する付勢力があり、使用者の唇に前記ガイド部材５が接触したときには、適度な収縮力で、収縮するものであれば良い。なお、本発明においては、前記コイルばね６を用いているが、弾性を有し、付勢できる部材であれば、ゴム部材でもよく、特に限定されるものではない。
前記ガイド部材５は、前記コイルばね６の付勢力により前方へ付勢されている。しかし、前記ガイド部材５の内方鍔部５ｃの前端面が、前記中皿４の外方鍔部４ｇの後端面で当接している。そのため、前記ガイド部材５は、前記筐体１から前方への移動を規制され、前記筐体１から外れてしまうことがない。
【００１６】
前記ガイド部材５は、前記筐体１や前記中皿４の前記小径部４ｂに対して、円周方向に動く横振れを防止する必要がある。本発明では、前記ガイド部材５の外周面に対して、前記筐体１の鍔部１ａが、前記ガイド部材５の前方の横振れを防止している。また、前記ガイド部材の外方鍔部５ａと内方鍔部５ｃに対して、前記筐体１の内周面と前記中皿４の前記小径部４ｂの外周面がそれぞれ横振れを防止している。
【００１７】
前記ガイド部材５の内側で、かつ、前記中皿４の支持部３ａの前端面には、棒状の口紅本体２（棒状化粧料本体）の後端面が当接している。また、前記口紅本体２の内部には、前記中皿４の前記小径部４ｂの前端部が挿入されており、挿入部の抵抗により、前記口紅本体２の脱落を防止している。ここで、前述した前記繰出体３の回転操作について改めて記述する。前記繰出体３の回転操作を行うと、前記中皿４が前記筐体１に対して前後動する。その前後動によって、前記中皿４に当接し、前記小径部４ｂに挿入されることで脱落防止されている前記口紅本体２、及び前記中皿４に前記コイルばね６を介して固定されている前記ガイド部材５も一緒に前後動することとなる。
前記ガイド部材５は、前記コイルばね６によって前方に付勢されている。そのため、前記ガイド部材５の前端面から後方に向かって力がかかると、前記ガイド部材は、前記コイルばね６の付勢力に反発し、後方へ移動する。しかし、前記ガイド部材５の前端面から後方に向かってかかる力が無くなると、前記ガイド部材５は、前記コイルばね６の付勢力によって、前方へ移動し、元の付勢状態に戻ることとなる。
なお、前記口紅本体２（棒状化粧料本体）は、前記口紅本体２の様な棒状のリップクリームやコンシーラーなどの棒状化粧料本体でもよく、口紅に限定されるものではない。
さらに、前記筐体１や、口紅本体２、繰出体３、中皿４、ガイド部材５は、筒状や円柱状といった円形をなしているが、これに限らず、楕円形状や多角形状など、使用性や見栄えに合わせて適宜選択が可能である。また内形部と外径部は異形でもよく、適宜選択可能である。
【００１８】
次に実際の動作について説明する。
使用者（図示せず）が、本発明の棒状化粧料容器を使用する場合、まず最初に、前記繰出体３を回転操作し、前記口紅本体２、及び前記ガイド部材５を前後動させる。そして、前記筐体１の前端面からの突出量を、使用者の塗布しやすい量に調整する。なお、棒状化粧料容器が未使用の場合は、前記ガイド部材５の前端面と、前記口紅本体２の前端面が同じ位置になるように設定されている。また、前記中皿４と、前記ガイド部材５は、前後動の際に、前記筐体１に対して回転が規制されている。そのため、前記ガイド部材５の前端に設けられた傾斜部５ｆと、前記口紅本体２の前端に設けられた傾斜部２ａは、常に同じ方向を向いた状態となる。
【００１９】
使用者は、前述した状態で、前記口紅本体２を唇（塗布面）に押し当てることで、唇への前記口紅本体２の塗布作業をおこなう。ここで、棒状化粧料容器が未使用の場合は、前記口紅本体２の前端面と前記ガイド部材５の前端面が唇に同時に接触する。そのため、前記口紅本体２を唇に塗布できる。また、棒状化粧料容器をある程度使用し、前記口紅本体２が減った場合、前記口紅本体２の前端面が、前記ガイド部材５の前端面から若干下がった状態となる。その際、前記ガイド部材５の前端面が、前記口紅本体２の前端面より先に唇に接触する。その場合は、前記ガイド部材５は、前記コイルばね６の付勢力に反発し、後方へ移動するため、唇に対して、前記口紅本体２の前端面と前記ガイド部材５の前端面が同時に接触した状態となる。そのため、前記口紅本体２を唇に塗布できる。
以上のように、塗布中は、前記口紅本体２が前記筐体１の前端面から突出した部分の側面部全体を前記ガイド部材５で保護した状態となる。そして、前記口紅本体２を唇に押し付けた状態で、唇表面上をスライドさせて使用することになる。その際、前記口紅本体２が折れる方向に負荷がかかっても、前記口紅本体２が倒れないように、前記ガイド部材５が支えているため、前記口紅本体２は折れないという効果を得ることが出来る。また、前記ガイド部材５は、塗布が終わって、唇から離れると、前記コイルばね６の付勢力によって前方へ移動し、元の付勢状態に戻る。
【００２０】
前記ガイド部材５の内面形状について、説明する。
前記ガイド部材５の内面形状は、前端面から後端面まで内径の変わらない貫通穴であれば、前述した前記ガイド部材５によって、前記口紅本体２の外周面が保護され、前記口紅本体２は折れないという効果を得ることが出来る。
ここで、本発明（図１）では、前記ガイド部材５の内面形状を、筒状部の前端面から、後端面に向かって内径が拡径する緩やかなテーパー形状が形成されている（テーパー部５ｄ）。前記ガイド部材５の前方部の内径と前記口紅本体２の外周面によって形成される隙間より、前記ガイド部材５の後方部の内径と前記口紅本体２の外周面によって形成される隙間の方が小さい。そのため、前記口紅本体５を唇に押し付けた状態で、唇表面上をスライドさせて、前記口紅本体２が折れる方向に負荷がかかっても、前記口紅本体２の前方部より後方部の変位量が小さくなる。したがって、ガイド部材５の内径部が、内径の変わらない貫通穴の場合に比べて、緩やかなテーパーを形成している方が、より前記口紅本体２が折れにくいという効果がある。さらに、前記口紅本体２の外周面と前記ガイド部材５の内周面には、前記ガイド部材５の内径が拡径した分、隙間が形成されている。そのため、前記口紅本体２を塗布中に、前記口紅本体２の前端面や淵の部分などが型崩れした場合に、その型崩れにより発生した破片などが隙間に落下しやすくなる。よって、型崩れにより発生した破片が、前記ガイド部材５の外側にはみ出にくくなる。したがって、不用意に口紅の破片に指が触れて汚れてしまったり、意図しない部分に破片が塗布されてしまうということを抑えることが出来る。
【００２１】
次に、前記ガイド部材５の実施例について、図２から図５のガイド部材３の縦断面図で説明する。
【００２２】
第１実施例を図２、図３に基づき説明する。
図２は、前記ガイド部材５の前端面に曲面部８を設けている。前記ガイド部材５は前述したように、その前端面が使用者の唇に直接接触する。そのため、前記ガイド部材５の前端面に角部が形成されていると、角部で唇に怪我をする恐れがある。よって、怪我の防止のため、前記ガイド部材５の前端面に曲面部を設けている。
【００２３】
第２実施例を図４に基づき説明する。
図３は、前記ガイド部材５の前端部に、ゴム８を取り付けている。本実施例においては、該ゴム８は、前記ガイド部材５の前端面に接着で固定されているが、嵌合や圧入などの方法で固定しても良い。また、前記ゴム８は、唇を傷つけない程度の軟らかさがある材料であれば、ゴムに限定されるものではない。前記ゴム８を設けることにより、図２の曲面部７と同様に怪我を防止することが出来る。なお、前記ゴム８の前端面は、角部となっているが、本実施例においても、前記ゴム８の前端部には、第１実施例と同様に唇に接触する部分に曲面部を設けても良い。
【００２４】
第３実施例を図５に基づき説明する。
図４は、前記ガイド部材５の前端面から若干後方の位置から、前端面に向かって、前記ガイド部材５の内径と外径を拡径した拡径部９を設けている。前記ガイド部材５の内径にのみ緩やかなテーパーを設けた形状に比べ、外径も一緒に拡径している分、拡径した部分の肉厚が薄くならず、十分な強度を維持できる。そして、前記ガイド部材５の内径が拡径したことによる前記口紅本体２との隙間が、より大きく確保することができる。よって、より前記口紅本体２の型崩れによる破片がその隙間に入りやすくなる。したがって、より確実に不用意に前記口紅本体２の破片に指が触れて汚れてしまったり、意図しない部分に破片が塗布されてしまうということを抑えることが出来る。
また、前記拡径部９の前端面は、角部となっているが、本実施例においても、ガイド部材の上部端面には、第１実施例と同様に唇に接触する部分に曲面部を設けても良い。
【符号の説明】
【００２５】
１    筐体
１ａ  鍔部
１ｂ  嵌合部
１ｃ  縦リブ
２    口紅本体（棒状化粧料本体）
２ａ  傾斜部
３    繰出体
３ａ  支持部
３ｂ  筒部
３ｃ  操作部
３ｄ  雄ねじ部
３ｅ  嵌合部
３ｆ  段部
４    皿部
４ａ  大径部
４ｂ  小径部
４ｃ  雌ねじ部
４ｄ  縦溝
４ｅ  円周溝
４ｆ  底面
４ｇ  外方鍔部
４ｈ  突出部
５    ガイド部材
５ａ  外方鍔部
５ｂ  縦溝
５ｃ  内方鍔部
５ｄ  テーパー部
５ｅ  突出部
５ｆ  傾斜部
６    コイルばね（弾性部材）
７    曲面部
８    ゴム
９    拡径部
【図１】
2015160087.tif 000003
【図２】
2015160087.tif 000004
【図３】
2015160087.tif 000005
【図４】
2015160087.tif 000006
【図５】
2015160087.tif 000007